(57)【要約】【課題】  引出し式扉に凹みのある手掛け部を設けても真空断熱材を使用して断熱性能を向上し内部容量を増大した冷蔵庫を提供する。【解決手段】  野菜室９の引出し式扉７の前板２５の上側に扉引出し用の下手掛け部１７の凹部２９が形成され、この凹部２５の形成された下手掛け部１７の前板２５の上側部分には、引出し式扉７の前板２５の下側において当接して取り付けられた真空断熱材２１と異なる別の成形品の発泡断熱材２３が設けられている。【選択図】        図２
2014066387.tif 000002
【特許請求の範囲】
【請求項１】
冷蔵庫の扉を構成する前板の裏面側に当接して配設される真空断熱材と、
前記前板の真空断熱材が配設された位置とは異なる位置に設けられる手掛け用の凹部と、
前記前板の凹部位置の裏面側に配設される予め成形された成形断熱材と
を有することを特徴とする冷蔵庫。
【請求項２】
前記凹部が当該冷蔵庫の庫内側に突出部を有することを特徴とする請求項１記載の冷蔵庫。
【請求項３】
前記突出部は、前記真空断熱材の厚さよりも厚いことを特徴とする請求項２記載の冷蔵庫。
【請求項４】
前記突出部は、庫内を仕切る仕切り部に対して水平に延出することを特徴とする請求項１乃至３のいずれか１項に記載の冷蔵庫。
【請求項５】
前記凹部は、前記扉が引出し式であるときに、当該扉の幅全体にわたって水平に広がって構成されることを特徴とする請求項１乃至４のいずれか１項に記載の冷蔵庫。
【請求項６】
前記扉が引出し式であるときに、当該引出し式扉の上側キャップが前記引出し式扉の前板に形成された凹部の上側を覆いながら上側を凹ませて上手掛け部を構成することを特徴とする請求項１乃至５のいずれか１項に記載の冷蔵庫。
【請求項７】
前記扉が引出し式であるときに、当該引出し式扉の上側キャップが前記引出し式扉の前板に形成された凹部の上側を覆いながら当該上側キャップの前側端部を庇のように前方に延出させてから下方に湾曲させて下手掛け部を構成することを特徴とする請求項１乃至５のいずれか１項に記載の冷蔵庫。
【発明の詳細な説明】
【技術分野】
【０００１】
本発明の実施形態は、冷蔵庫に関する。
【背景技術】
【０００２】
冷蔵庫は、断熱性能を向上するために、外壁部、天井部、底部などの内部に断熱材を充填して断熱するとともに、また冷蔵庫の前側の扉の内部にも断熱材を充填して断熱性能の向上した断熱扉を構成している。
【０００３】
なお、従来の断熱扉は、扉を構成する前板と後板との間の空間に断熱材として発泡ウレタンを充填していたが、このような発泡ウレタンを使用した断熱扉を冷蔵庫の扉に適用する場合には、扉を開くための手掛け部を当該扉に設ける必要がある。この手掛け部は、例えば扉を構成する前板を冷蔵庫内部に向かって凹ませ、この凹ませた上部を庇のように前方に延出させてから下方に湾曲させて手掛け部を構成し、この手掛け部に手の指をかけて扉を前側に開いている。
【０００４】
このような手掛け部を断熱扉に設けると、扉の前板は凹むため、この凹んだ部分の断熱扉の厚さは薄くなるが、発泡ウレタンを使用した場合には、扉の厚さを厚くしているため、このような凹み部があっても断熱扉の断熱性能が大きく損なわれることはなかった。
【０００５】
一方、近年は、発泡ウレタンに代わって、薄くても断熱性能の向上した真空断熱材を使用し、この真空断熱材を扉の前板の裏側に接着することにより、扉の断熱性能を向上するとともに、断熱扉を薄く構成して、冷蔵室の内部容量を増大している。
【０００６】
しかしながら、上述したように真空断熱材を適用するとともに、扉に上述したような手掛け部を設けると、この手掛け部を構成するために前記凹み部を扉の前板に形成する必要があり、この凹み部のために真空断熱材を扉の前板に接着することができず、従って真空断熱材を使用して、断熱性能を向上しながら厚さが薄い扉を構成することができないという問題がある。
【０００７】
従来は、例えばバータイプのハンドルを扉の前面にねじなどで取り付けるなどしているものが考えられていたが、扉に手掛け部を設け、この手掛け部に手の指などをかけて扉を開くような冷蔵庫でも断熱性能が高く、扉が薄く、冷蔵庫の内部容量が大きいものが要望されている。
【先行技術文献】
【特許文献】
【０００８】
【特許文献１】特願２０１２−０３５４６０号
【発明の概要】
【発明が解決しようとする課題】
【０００９】
本発明は、上記に鑑みてなされたもので、その目的とするところは、引出し式扉に凹みのある手掛け部を設けても真空断熱材を使用して断熱性能を向上し内部容量を増大した冷蔵庫を提供することにある。
【課題を解決するための手段】
【００１０】
上記課題を達成するため、実施形態の冷蔵庫は、冷蔵庫の扉を構成する前板の裏面側に当接して配設される真空断熱材と、前記前板の真空断熱材が配設された位置とは異なる位置に設けられる手掛け用の凹部と、前記前板の凹部位置の裏面側に配設される予め成形された成形断熱材とを有する。
【図面の簡単な説明】
【００１１】
【図１】本発明の第１の実施形態に係わる冷蔵庫の全体を示す斜視図である。
【図２】図１に示す冷蔵庫の野菜室の引出し式扉の側部断面図である。
【図３】図２に示す引出し式扉を側方から見た斜視図である。
【図４】図２および図３に示した引出し式扉の分解斜視図である。
【図５】図２および図３に示した引出し式扉に使用されている真空断熱材と発泡断熱材における温度分布を示す図である。
【図６】本発明の第２の実施形態に係わる冷蔵庫に使用されている引出し式扉の上側の一部の断面図である。
【図７】本発明の第３の実施形態に係わる冷蔵庫に使用されている引出し式扉の上側の一部を示す断面図である。
【発明を実施するための形態】
【００１２】
以下、図面を用いて、本発明を実施するための形態(以下、実施形態と称する)を説明する。
【００１３】
図１は、本発明の第１の実施形態に係わる冷蔵庫の全体を示す斜視図である。同図に示す冷蔵庫１は、最上部に両開き式の観音扉３ａ、３ｂで開閉される冷蔵室５を有し、この冷蔵室５の下側に引出し式扉７で開閉される野菜室９が設けられている。また更に、この野菜室９の下側には製氷室１１と第１冷凍室１３とが横に並んで設けられ、この下側の最下部に第２冷凍室１５が設けられている。
【００１４】
野菜室９の引出し式扉７は、その最上部に手掛け部１７が設けられている。なお、この手掛け部１７は、この手掛け部１７に下側から手の指を引っ掛けるように入れて引っ張り出すものであるため、下手掛け部１７と称する。この下手掛け部１７は、野菜室９の引出し式扉７を構成する前板の上部を野菜室９の内部に向かって凹ませ、この凹ませた上端部を庇のように前方に延出させてから下方に少し湾曲させて構成されるものであり、上述したように、下側に手の指を入れて掛け手前に引くことにより、引出し式扉７が前方に引き出されるものである。なお、野菜室９本体は、この引出し式扉７の後側に枠体などを介して取り付けられていて、上述したように、引出し式扉７を前方に引き出すと、野菜室９本体も同様に前方に引き出されるようになっている。
【００１５】
図２および図３は、それぞれ図１に示した野菜室９の引出し式扉７の側部断面図および側方から見た引出し式扉７の斜視図である。なお、図２および図３においては、左側が野菜室９の前方外側であり、右側が野菜室９の内部である。図２および図３に示すように、引出し式扉７の上部には、前記下手掛け部１７が前方に延出してから下方に湾曲するように設けられている。引出し式扉７は、間隔をあけて配設される前板２５と後板２７で全体的に構成されるが、この前板２５と後板２７との間には真空断熱材２１および真空断熱材と異なる断熱材であって、真空断熱材よりも断熱性能が低いが配設する場所の形状に合わせて成形しやすい別の例えば発泡スチロール（ＥＰＳ）などからなる成形品である発泡断熱材２３が挟まれるように配設されている。
【００１６】
この前板２５の上部は、野菜室９内部に向かって凹ませられて、凹部２９が形成され、この凹部２９の上部は、前方に折曲して庇のように延出してから下方に屈曲して、前記下手掛け部１７を構成している。この下方に屈曲した下手掛け部１７の下端１７ａの内側に手の指を引っ掛けるように入れることができるようになっている。
【００１７】
真空断熱材２１は、前板２５の裏面に接着などにより密接して取り付けられているが、真空断熱材２１は、前板２５が真っ直ぐ伸びた凹部２９の手前まで上方に延出して設けられているが、凹部２９の部分から前板２５の上端までの部分には当該真空断熱材２１に代わって発泡断熱材２３が設けられている。この発泡断熱材２３は、凹部２９を含む前板２５の上端まで前板２５に沿って設けられ、引出し式扉７の上端を真空断熱材２１に代わって断熱するようになっている。
【００１８】
前板２５の上部に沿って設けられた発泡断熱材２３は、野菜室９の内側に向かって大きく突出するように厚く設けられ、この発泡断熱材２３の突出した部分を囲むように後板２７が設けられ、これにより上部スロート部４１を構成している。すなわち、この突出した部分は、野菜室９を仕切っている仕切り部でもある上下隔壁部や左右隔壁部に対して水平に延出している。なお、発泡断熱材２３を突出させて厚く構成したのは、凹部２９によって凹んだ分だけ引出し式扉７の上部が薄くなって低下した断熱性能および真空断熱材２１に比較して低い断熱性能を発泡断熱材２３の突出した厚さによってカバーしているものであり、この突出した部分の発泡断熱材２３の厚さは、下方の真空断熱材２１の厚さよりも厚く構成されている。
【００１９】
また、後板２７の下部寄りの部分には、野菜室９内に向かって突出する下部スロート部３１が設けられ、この下部スロート部３１内には、発泡断熱材２３と同じ発泡スチール（ＥＰＳ）などからなる成形品の発泡断熱材３３が設けられている。
【００２０】
前記上部スロート部４１は、本来、下部スロート部３１と同様な形状を有する上下方向が比較的薄い構造のものであって、例えば図２において２点鎖線２００で示すような形状をしているものであったが、本実施形態では、この上部スロート部４１のある引出し式扉７の上部の断熱性能を上述したように向上するために、上部スロート部４１の下方部分を野菜室９内に突出させ、この部分内に設けられる発泡断熱材２３の厚さを厚くしている。更に詳しくは、上部スロート部４１内の発泡断熱材２３は、下端部の内側が真空断熱材２１の上端部を覆うように下方に延出し、この部分においては、真空断熱材２１の上端と発泡断熱材２３の下端とが重なるように二重に設け、真空断熱材２１と発泡断熱材２３の繋ぎ目の断熱性能が低下しないようにしている。
【００２１】
下手掛け部１７の上側には、上部３５が連続的に形成され、この上部３５で引出し式扉７の上側を全体的に覆っている。上部３５の前方斜め下方に延出した先端３５ａは、下手掛け部１７の下端１７ａに連続して構成されている。また、上部３５の後方に水平に伸びた後端３５ｂ、すなわち野菜室９内に向かって延出する後端３５ｂは、下方に折曲してから内側に曲がるように構成され、この下方に折曲した垂直部が折曲部３５ｃを構成し、この折曲部３５ｃが野菜室９の上側の隔壁部に密接に当接し、図示しないガスケットによって野菜室９内を密閉状態にし得るようになっている。
【００２２】
なお、後板２７の上部、すなわち後板２７の上部スロート部４１を超えて上側に伸びている上は、引出し式扉７の厚み方向の内側に折曲してから上方に立ち上がった上端部２７ａとなり、前記折曲部３５ｃの内側に入り込んで係合している。また、後板２７の下端部２７ｂも下部スロート部３１を超えた後、引出し式扉７の厚み方向の内側に折曲してから下方に折れ曲がるように形成され、この折れ曲がった下端部２７ｂに前板２５の下端部が係合している。すなわち、前板２５の下端部は、真空断熱材２１を超えた後、真空断熱材２１の下端部を通るように野菜室９内に向かって折曲してから上方に立ち上がり、更に内側に曲がるように構成されて、係合部を構成し、この係合部に後板２７の下端部２７ｂが係合している。なお、真空断熱材２１の下端部は、後板２７の下端部２７ｂの上側の段部上に当接して載置されている。
【００２３】
また、引出し式扉７の左右両側には、後述する図４から明確に分かるように、それぞれ左右のサイドキャップが取り付けられて、引出し式扉７の左右両側を塞いでいるが、図２では、左側サイドキャップ３７ａの一部のみが前板２５の前に延出していることが分かる。
【００２４】
図４は、図２および図３に示した引出し式扉７の分解斜視図である。図４に示す引出し式扉７は、図２および図３のように一側断面を図示したものでなく、引出し式扉７の全体の分解斜視図であるため、発泡断熱材２３および後板２７は、引出し式扉７の周囲を含む全体部分の構造も示されている。
【００２５】
図４において、前板２５の上部に形成された下手掛け部１７の上側には、上部３５が下手掛け部１７に連続して設けられ、前板２５の左右両側には、前記左側サイドキャップ３７ａに加えて、右側サイドキャップ３７ｂが設けられ、引出し式扉７を左右両側から塞ぐようになっている。また、図４から分かるように、下手掛け部１７は、引出し式扉７の横幅いっぱいに延出するように構成されている。前板２５の後方には、矩形の真空断熱材２１が設けられ、この真空断熱材２１は前板２５の凹部２９の下側の大きな平坦部に接着等により密接して取り付けられるようになっている。
【００２６】
また、引出し式扉７の野菜室９内部に一番近い奥側には、後板２７が設けられるが、この後板２７と真空断熱材２１との間には、前記発泡断熱材２３および３３を構成する発泡断熱部４３が配設されている。この発泡断熱部４３は、前記上部スロート部４１内に収納される発泡断熱材２３と下部スロート部３１内の収納される発泡断熱材３３を構成することに加えて、前記真空断熱材２１の周囲を全体的に囲むような枠形状をもって構成されている。
【００２７】
また、後板２７は、前記上部スロート部４１および下部スロート部３１を構成するような形状を有するとともに、ほぼ中央部分が真空断熱材２１に後側から密接するように長方形の大きな突出部を有することに加えて、周囲に枠体が形成され、この枠体で発泡断熱部４３を全体的に囲みながら、引出し式扉７を全体的にまとめている。なお、後板２７の前側の周囲には、図２および図３で示した上端部２７ａおよび下端部２７ｂが形成されている。
【００２８】
上述した第１の実施形態においては、引出し式扉７を構成する前板２５の前記凹部２９を除く大部分に真空断熱材２１を設けて、引出し式扉７の断熱性能を向上しながら、引出し式扉７を全体的に薄くして、野菜室９の内部容量を全体として増大するとともに、このような真空断熱材２１を使用した引出し式扉７の構造において、引出し式扉７に下手掛け部１７を設けるために、前板２５の上部を凹ませて凹部２９を形成したことにより、この凹部２９のある部分の前板２５の内側に真空断熱材２１を接着などして密接に取り付けることができないが、この凹部２９のある部分には真空断熱材に代わって発泡断熱材２３を設けるとともに、この発泡断熱材２３を内部に向かって突出させて厚く構成し、これによりこの凹部２９のある部分の断熱性能を低下させることないように構成し、引出し式扉７を全体としての薄型にしながら断熱性能も向上することができるようにしている。
【００２９】
図５は、上述したように構成される引出し式扉７の真空断熱材２１と発泡断熱材２３における温度分布を示す図である。図５において、真空断熱材２１の部分の断面を水平に通る線Ｖ−Ｖにおける真空断熱材２１の内部温度を前板２５側から後板２７側までについて各点Ｐ１、Ｐ２、Ｐ３、Ｐ４、Ｐ５で測定した結果の温度は、それぞれ２１．６℃、１１．７℃、４．３℃、−３．１℃、−８．０℃であったが、これに対して上部スロート部４１に真下の発泡断熱材２３の部分の断面を斜めに通る線Ｐ−Ｐにおける発泡断熱材２３の内部温度を前板２５側から後板２７側までについて各点Ｐ１、Ｐ２、Ｐ３、Ｐ４、Ｐ５で測定した結果の温度も前記真空断熱材２１における温度と同じく、それぞれ２１．６℃、１１．７℃、４．３℃、−３．１℃、−８．０℃であり、この部分に真空断熱材２１に代わって発泡断熱材２３を設けても、本実施形態のように発泡断熱材２３を厚く突出するように構成することにより真空断熱材２１と同様な断熱効果が得られることが証明された。なお、上記温度測定は、室温が２６．６℃、第２冷凍室１５の内部の温度が−１８℃の場合のものであった。
【００３０】
なお、上部スロート部４１に設けられる発泡断熱材２３および下部スロート部３１に設けられる発泡断熱材３３は、上部スロート部４１および下部スロート部３１の形状に予め成形された成形品の発泡スチロール（ＥＰＳ）を使用しているため、例えば発泡ポリウレタンなどを注入するなどに比較して、設備投資や作業前段取等の工数が軽減することによって安価に構成することが可能である。
【００３１】
図６は、本発明の第２の実施形態に係わる冷蔵庫に使用される引出し式扉の上側の一部を示す断面図である。図６に示す引出し式扉７０は、図２および図３に示した引出し式扉７における下手掛け部１７を厚みのある上キャップ３５１で構成した点が大きく異なるものであり、同じ構成部分には同じ符号を付し、その説明を省略する。すなわち、前板２５の上部が野菜室９内部に向かって凹ませられて、凹部２９が形成され、この凹部２９の内側に大きく突出して厚い発泡断熱材２３が設けられているなどの構成は同じである。
【００３２】
本実施形態の引出し式扉７０は、厚みのある上キャップ３５１をもって、下手掛け部１７１を構成している。この下手掛け部１７１を構成する上キャップ３５１は、前側が前方に延出してから下方に湾曲しながら折曲しているが、この折曲した下端部３５１ａの内側には、大きな逆Ｕ字形の溝部である逆Ｕ字溝部３５０が構成されている。この下手掛け部１７１の下端部３５１ａの下側から逆Ｕ字溝部３５０内に手の指を下側から引っ掛けるように入れて、引出し式扉７０を引き出すようになっている。
【００３３】
逆Ｕ字溝部３５０の上側の上キャップ３５１の平坦部分の下面のほぼ中央部分には、下方に突出した２個の突出部３５３ａおよび３５３ｂが狭い間隔をあけて平行に形成されている。そして、この２個の突出部３５３ａ、３５３ｂの間に下方から延出する前板２５の上端部２５ａが係合している。
【００３４】
また、この突出部３５３ａ、３５３ｂを超えて野菜室９内に向かって延出している上キャップ３５１の水平部分の端部３５１ｂの真下には、鉄板３５５が取り付けられている。そして、この鉄板３５５の内側には、上部スロート部４１を超えて延出している後板２７の上方に屈曲した上端部２７ａが係合している。
【００３５】
この第２の実施形態においても、第１の実施形態と同様に、引出し式扉７０を構成する前板２５の凹部２９を除く大部分に真空断熱材２１を前板２５に接着などで密接に設けて、引出し式扉７の断熱性能を向上しながら、引出し式扉７０を全体的に薄くして、野菜室９の内部容量を全体として増大するとともに、このような真空断熱材２１を使用した引出し式扉７０の構造において、下手掛け部１７１を設けるために、前板２５の上部を凹ませて形成される凹部２９のある部分の前板２５の内側には真空断熱材に代わって発泡断熱材２３を設けるとともに、この発泡断熱材２３を内部に向かって突出させて厚く構成し、これによりこの凹部２９のある部分の断熱性能を低下させることないように構成し、引出し式扉７を全体としての薄型にしながら断熱性能も向上することができる。
【００３６】
また、本実施形態の下手掛け部１７１は、上キャップ３５１の突出部３５３ａ、３５３ｂの間に前板２５の上端部２５ａを係合させるように取り付けるものであるため、構造が簡単な上に、組立など作業も簡単である。
【００３７】
図７は、本発明の第３の実施形態に係わる冷蔵庫に使用されている引出し式扉の上側の一部を示す断面図である。同図に示す引出し式扉５１は、図１に示したような冷蔵庫１の野菜室９に同様に使用されるものであるが、上端部に上手掛け部５３が設けられるとともに、また上手掛け部５３の下方においては引出し式扉５１を構成する前板５５と後板６７との間に真空断熱材５９が設けられている。なお、この真空断熱材５９は、接着などにより前板５５に密接して取り付けられている。なお、図７では図示しないが、引出し式扉５１の下部の構成は図２に示した引出し式扉７の構成と同じである。
【００３８】
前記上手掛け部５３は、前板５５の上端５５ａに上側から引っ掛けられているＵ字形のフック部５７を有し、このフック部５７の前側端部５７ａが前板５５の上端５５ａに引っ掛けられている。フック部５７の後側の構成部は、下方に真っすぐ延出し、前板５５の上端の真上近くまで配設されている。この下方に真っすぐ延出した部分は、途中から野菜室９内に向かって折曲して延出し更に上方に屈曲して、大きなＵ字溝部６１が野菜室９内に大きな厚みをもって突出するように構成されている。
【００３９】
このＵ字溝部６１を構成して上方に屈曲した上端部６３は、野菜室９内に向かって折曲してから更に下方に折曲して、Ｕ字形の係合部６５を形成している。この係合部６５に前記後板６７の上方に折曲した上端部６７ａが係合している。この上端部６７ａの下方の後板６７は、野菜室９内に向かって大きく突出して上部スロート部６９を構成し、この上部スロート部６９内に真空断熱材と異なる断熱材であって、真空断熱材よりも断熱性能が低いが配設する場所の形状に合わせて成形しやすい別の例えば発泡スチロール（ＥＰＳ）などからなる成形品である発泡断熱材７１が配設されている。
【００４０】
この発泡断熱材７１は、上部スロート部６９の形状に合わせて厚く構成され、これは野菜室９内に向かって大きく突出して構成されたＵ字溝部６１のためにこの部分に真空断熱材５９が存在しないためにＵ字溝部６１の部分の低下した断熱性能および真空断熱材５９に比較して低い断熱性能を発泡断熱材７１の突出した厚さによってカバーしているものであり、この突出した部分の発泡断熱材７１の厚さは、下方の真空断熱材５９の厚さよりも厚く構成されている。
【００４１】
上述したように構成される第３の実施形態の引出し式扉５１では、Ｕ字溝部６１の前側のフック部５７に手の指を上側から引っ掛けてから、引出し式扉５１を前方に引っ張ることにより引出し式扉５１、ひいてはこの引出し式扉５１に枠体などで連結されている野菜室９を前方に引き出すことができる。また、Ｕ字溝部６１を設けることによって、真空断熱材５９を設けることができない引出し式扉５１の上側部分については、発泡断熱材７１を内部に向けて大きく突出させて厚く構成することにより、このＵ字溝部６１のある部分の断熱性能を低下させることないように構成し、引出し式扉７を全体としての薄型にしながら断熱性能も向上することができるようになっている。なお、上部スロート部６９に設けられる発泡断熱材７１は、上部スロート部６９の形状に予め成形された成形品の発泡スチロール（ＥＰＳ）を使用しているため、例えば発泡ポリウレタンなどを注入するなどに比較して、設備投資や作業前段取等の工数が軽減することによって安価に構成することが可能である。
【００４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
1  冷蔵庫
７  引出し式扉
９  野菜室
１７  下手掛け部
１７ａ  下手掛け部の下端
２１  真空断熱材
２３  発泡断熱材
２５  前板
２５ａ  上端部
２７  後板
２７ａ  上端部
２７ｂ  下端部
２９  凹部
３１  下部スロート部
３３  発泡断熱材
３５  上部
３５ａ  先端
３５ｂ  後端
３５ｃ  折曲部
３７ａ  左側サイドキャップ
３７ｂ  右側サイドキャップ
４１  上部スロート部
４３  発泡断熱部
５１  引出し式扉
５３  上手掛け部
５５  前板
５７  フック部
５７ａ  前側端部
５９  真空断熱材
６１  Ｕ字溝部
６３  上端部
６５  係合部
７０  引出し式扉
１７１  下手掛け部
３５０  逆Ｕ字溝部
３５１  上キャップ
３５１ａ  下端部
３５１ｂ  端部
３５３ａ、３５３ｂ  突出部
【図１】
2014066387.tif 000003
【図２】
2014066387.tif 000004
【図３】
2014066387.tif 000005
【図４】
2014066387.tif 000006
【図５】
2014066387.tif 000007
【図６】
2014066387.tif 000008
【図７】
2014066387.tif 000009